【事件の表示】
　平成　８年特許願第１５２２２１号「情報入力装置」拒絶査定不服審判事件〔平成　９年１２月２２日出願公開、特開平　９−３３１５０２、請求項の数（４）〕について、次のとおり審決する。
【結　論】
　原査定を取り消す。
　本願の発明は、特許すべきものとする。
【理　由】
【１】手続の経緯
　本願は、平成８年６月１３日の出願であって、原審において、平成１８年３月３１日付けで拒絶査定がなされた。　
　これに対し、平成１８年５月８日に拒絶査定に対する審判請求がなされるとともに、平成１８年６月７日付けで手続補正がなされたものである。
　
【２】平成１８年６月７日付けの手続補正についての補正却下の決定
　
［補正却下の決定の結論］
　
　平成１８年６月７日付けの手続補正を却下する。
　
［理由］
　
１．補正事項
　
　平成１８年６月７日付けの手続補正（以下「本件補正」という。）は、願書に添付した明細書（平成１６年８月１２日付け手続補正、及び平成１７年４月１８日付け手続補正により補正された明細書）の特許請求の範囲の請求項１を、
　「【請求項１】　所定の被写体の画像を撮像する撮像手段と、
　前記撮像手段により撮像された前記画像を記憶する第１の記憶手段と、
　
第１の
および第２の動作モード
いずれか１つの
　複数種類の第１の効果音
および複数種類の第２の効果音
　
ユーザからの指令に基づいて、前記複数種類の第１の効果音のなかからいずれか１つの効果音を前記第１の動作モードにおける第１の動作モード効果音として設定するとともに、前記複数種類の第２の効果音のなかからいずれか１つの効果音を前記第２の動作モードにおける第２の動作モード効果音として
　
前記ユーザによって操作された場合、その操作に対応する動作の実行
　
前記第１の設定手段によって前記第１の動作モードが設定されているときに、前記指示手段の操作による動作の実行が指示された場合、前記第１の動作モード効果音を前記第２の記憶手段から読み出して出力し、前記第１の設定手段によって前記第２の動作モードが設定されているときに、前記指示手段の操作による動作の実行が指示された場合、前記第２の設定手段により設定されている前記第２の動作モード効果音を
　を備えることを特徴とする情報入力装置。」
とする補正を含むものである。
　
２．補正の適否についての判断
　
　本件補正が、願書に最初に添付した明細書又は図面（以下、「出願当初明細書」という）に記載した事項の範囲内においてするものといえるかについて以下に検討する。
　
　ア　本件手続補正後の請求項１には、
　「複数種類の第１の効果音
および複数種類の第２の効果音
　
ユーザからの指令に基づいて、前記複数種類の第１の効果音のなかからいずれか１つの効果音を前記第１の動作モードにおける第１の動作モード効果音として設定するとともに、前記複数種類の第２の効果音のなかからいずれか１つの効果音を前記第２の動作モードにおける第２の動作モード効果音として
　
　イ　上記記載Ａの「第１の動作モード」と「第２の動作モード」は異なるモードであり、「複数種類の第１の効果音」と「複数種類の第２の効果音」は異なるものを意味するものと解されるから、
　上記記載Ａは、異なる２つの動作モードのそれぞれに対して、設定する複数の効果音の組が異なるものとして２組用意されていて、その１組から１の効果音を第１の動作モード効果音として、別の組から１の効果音を第２の動作モード効果音として、それぞれ、ユーザが選択して設定することを、構成要件として少なくとも含むものものと解される。
　
　ウ　上記記載Ａに関連する出願当初明細書の記載として、以下の記載（段落0099，0102〜0115）がある。
　「【００９９】そして、レリーズスイッチ１０が操作されたとき出力される効果音（シャッタ擬音）を、そのときに設定されている圧縮率に応じて変化させるようにすることができる。例えば、ノーマルモードに設定されている場合、レリーズスイッチ１０が操作されたとき、比較的低い周波数の音を出力させ、ファインモードに設定されている場合、レリーズスイッチ１０が操作されたとき、比較的高い周波数の音を出力させる。勿論、音の強弱や音色を変化させるようにしてもよい。これにより、ユーザは、聴覚的に、レリーズスイッチ１０を操作したことを確認するとともに、現在、設定されている圧縮率も確認することができる。」
　「【０１０２】次に、図１１乃至図１７を参照して、圧縮率を設定する手順およびシャッタ擬音（レリーズ音）を設定する手順について説明する。最初に、図１１に示すように、タッチタブレット６Ａのメニューキー７Ａをペン６Ｂを用いて選択すると、図１２に示すような選択画面がＬＣＤ６に表示される。この画面には、例えば、「記録モード」、「再生モード」、「個人情報処理モード」、「カレンダー表示モード」、および「設定モード」等の選択項目が表示される。ここで、選択項目「設定モード」をペン６Ｂを用いて選択すると、図１３に示すように、設定可能な項目が表示される。
【０１０３】その中の、例えば、項目「圧縮率」を選択すると、図１４に示すような圧縮率設定画面が表示される。項目「ノーマル」は上記ノーマルモードのことであり、「ファイン」はファインモードのことである。ここで、項目「ノーマル」をペン６Ｂを用いて選択すると、圧縮率がノーマルモードに設定される。また、項目「ファイン」をペン６Ｂを用いて選択すると、圧縮率がファインモードに設定される。
【０１０４】一方、図１３の設定モード選択画面において、項目「効果音」をペン６Ｂを用いて選択すると、図１５に示すような効果音設定画面が表示される。項目「レリーズ音再生［Ａ］［Ｂ］［Ｒ］」の文字Ａは、所定の効果音Ａを表し、文字Ｂは、所定の効果音Ｂを表し、文字Ｒは、後述するようにして、ユーザ自身が録音した音声を表している。従って、この場合、Ａ、Ｂ、Ｒの中のいずれかを選択することにより、レリーズスイッチ１０が操作されたときに出力される効果音を選択し、設定することができる。
【０１０５】また、効果音設定画面において、項目「レリーズ音録音［ＲＥＣ］」をペン６Ｂを用いて選択すると、図１６に示すように、ＬＣＤ６にメッセージ「録音スイッチを押してください」が表示される。このメッセージに従って、ユーザが録音スイッチ１２を操作すると、図１７に示すようなメッセージ「レリーズ音を入力してください」が表示されるので、ユーザは、レリーズ音として登録したい所定の音声を、マイクロホン８より入力する。マイクロホン８より入力された音声は、音声ＩＣ３６において圧縮された後、音声ＩＣ３６が内蔵するメモリ、あるいはメモリカード２４の所定の領域に記録される。このようにして、ユーザは、レリーズ音として所望の音声を登録することができる。
【０１０６】これにより、図１５の効果音設定画面において、項目「レリーズ音再生［Ａ］、［Ｂ］、［Ｒ］」の中の、例えば、［Ｒ］をペン６Ｂを用いて選択すると、上述したようにしてユーザが入力し、登録した所定の音声が、レリーズ音として設定され、それ以降、レリーズスイッチ１０が操作される度に、その音声がレリーズ音として出力されるようになる。
【０１０７】ところで、電子カメラ１は、例えば次のようなモードを有している。
【０１０８】・情報入力モード（記録モード）
・情報再生モード（再生モード）
・個人情報処理モード
・カレンダー表示モード
・設定モード
【０１０９】「記録モード」は、例えば、画像情報、音声情報、テキスト情報等を入力したり、あるいは、例えば、タッチタブレット６Ａ上にペン６Ｂを接触させた状態で移動させることによって線画情報を入力し、メモリカード２４に記録させるモードであり、「再生モード」は、メモリカード２４に記録された画像情報、音声情報、テキスト情報、あるいは線画情報等を再生するモードである。
【０１１０】また、個人情報処理モードは、入力済みの個人情報（例えば、友人の電話番号や住所等）の閲覧、または新たな個人情報の入力を行うモードであり、カレンダー表示モードは、予定表を作成したり、それを閲覧するモードである。設定モードについては、上述したように、圧縮率を設定したり、効果音を設定するなどのように、電子カメラ１の撮影環境に対応する所定のデフォルト値を変更したり、ストロボの動作を設定するモードである。
【０１１１】ユーザが操作スイッチ３５またはタッチタブレット６Ａを操作したとき、現在のモードに対応した効果音を出力させるようにすることができる。例えば、各モードに対応した複数種類の効果音のデータを、メモリカード２４または音声ＩＣ３６が内蔵するメモリ等に予め記憶させておく。そして、操作スイッチ３５またはタッチタブレット６Ａが操作されたとき、音声ＩＣ３６は、その時点での電子カメラ１のモードに対応する効果音をメモリカード２４または内蔵するメモリより読み出し、スピーカ５より出力させる。
【０１１２】例えば、各モード毎に、対応する効果音の周波数や長さを変化させたり、あるいは音色や強弱を変化させることができる。また、それらを組み合わせて変化させることもできる。例えば、「記録モード」の場合、７００Ｈｚの「ピッ」という音を出力させ、「再生モード」の場合、「記録モード」の場合の７００Ｈｚに対して１オクターブ低い周波数である３５０Ｈｚの「プッ」という音を出力させる。また「個人情報処理モード」の場合、１４００Ｈｚの「ピン」という音を出力させ、「カレンダー表示モード」の場合、１４００Ｈｚの「カーン」という音を出力させる。さらに、「設定モード」の場合、７００Ｈｚの「ポッ」という音を出力させる。
【０１１３】このようにして、各モードにおいて、タッチタブレット６Ａや操作スイッチ３５が操作されたときに出力される効果音が自動的に変化するようにすることにより、ユーザは、例えば、暗い場所で電子カメラ１を操作する場合でも、いまどのモードにあるのかを聴覚的に認識することができ、操作ミスを抑制することができる。
【０１１４】また、連写モード切り換えスイッチ１３によって設定されている現在の連写モードに応じて、レリーズスイッチ１０が操作されたときに出力されるレリーズ音（シャッタ擬音）を変化させるようにすることもできる。例えば、連写モードが高速連写モード（Ｈモード）に設定されているとき、レリーズスイッチ１０が操作されると、比較的高い周波数のレリーズ音を出力し、連写モードが低速連写モード（Ｌモード）に設定されているとき、比較的低い周波数のレリーズ音を出力するようにする。また、連写モードがＳモード（１コマずつ撮影するモード）に設定されているとき、さらに低い周波数のレリーズ音を出力するようにする。
【０１１５】これにより、ユーザは、レリーズスイッチ１０を操作したとき、いま、どの連写モードに設定されているかを聴覚的に認識することができる。」
　
　エ　上記ウの記載によれば、
　モードには、「情報入力モード（記録モード）」「情報再生モード（再生モード）」「個人情報処理モード」「カレンダー表示モード」「設定モード」があること（段落0108）、
　複数種類の効果音のデータを、メモリカード２４または音声ＩＣ３６が内蔵するメモリ等に予め記憶させておき、ユーザが操作スイッチ３５またはタッチタブレット６Ａを操作したとき、現在のモードに対応した効果音を、上記メモリより読み出して出力させること（段落0111）、
　画像情報の入力を行う「レリーズスイッチ１０」の「操作」をしたときに出力される効果音を、ユーザが、複数種類の効果音のなかからいずれか１つの効果音を選択して設定すること（段落0102〜0106）、
　その「レリーズスイッチ１０」の「操作」は、画像情報を入力するための操作であるから、上記モードの１つである「情報入力モード（記録モード）」中の操作といい得ること、
　が記載されているということができ、
　これらのことから、
　操作をしたとき、いまどのモードにあるのかを聴覚的に認識することができるように、現在のモードに対応した異なる効果音を出力すること、
　ユーザからの指令に基づいて、複数種類の効果音から、所定の動作モード（記録モード）における、特定の処理（「レリーズスイッチ１０」の「操作」に対応する処理）に対応する効果音を設定する手段は記載されているといえる。
　
　しかし、上記ウの記載から上記イ、すなわち、異なる２つの動作モードのそれぞれに対して、設定する複数の効果音の組が異なるものとして２組用意されていて、その１組から１の効果音を第１の動作モード効果音として、別の組から１の効果音を第２の動作モード効果音として、それぞれ、
ユーザが選択して設定すること
　したがって、上記記載Ａが、出願当初明細書の上記段落0099，0102〜0115に記載されていたとはいえず、同段落の記載から自明の事項ともいえない。
　
　そして、これら段落以外の出願当初明細書の記載をみても、上記記載Ａが記載されているといい得るまでの記載もない。
　
　したがって、上記記載Ａを含む本件手続補正は、出願当初明細書の全ての記載を総合することにより導かれる技術事項との関係において新たな技術事項を導入しないものではなく、出願当初明細書に記載した事項の範囲内においてするものとはいえない。
　
３．むすび
　
　以上のとおり、本件補正は、特許法第１７条の２第３項の規定に違反するので、特許法第１５９条第１項において読み替えて準用する同法第５３条第１項の規定により却下すべきものである。
　
【３】本願発明について
　
　平成１８年６月７日付けの手続補正は、上記のとおり却下することとなったので、本願の請求項１〜４に記載の発明は、平成１７年４月１８日付け手続補正により補正された明細書及び図面の記載からみてその特許請求の範囲の請求項１〜４に記載された事項により特定されるとおりのものであると認める。
　そして、本願については、原査定の拒絶理由を検討してもその理由によって拒絶すべきものとすることはできない。
　
　また、他に本願を拒絶すべき理由を発見しない。
　
　よって、結論のとおり審決する。